(57)【要約】      （修正有）【課題】トイレットペーパーの使用後に次回繰り出し時のつまみ代を確実に残せるトイレットペーパーローラーを提供する。【解決手段】トイレットペーパーの巻芯内に挿入されるトイレットペーパーローラー１の回転を抑制するための摩擦部２Ａが設けられ外側筒部２と、一端３Ａを外側筒部２の内周面に固定させるとともに、トイレットペーパーの繰り出しにともなって他端３Ｂに設けられた内側筒部４の外周面上に収縮可能な渦巻き状に配置された巻回部３と支持フックに固定される支持部５Ａと支持部５Ａの外側に延設して渦巻き状に設けられる空転部５Ｂとから構成されて、内側筒部４内周面に接して配置された空転筒部５とで構成する。【選択図】図１
2014200652.tif 000002
【特許請求の範囲】
【請求項１】
少なくともワンタッチ式の支持フック７Ｂ（７Ｂ）とペーパーカッター８を有するペーパーホルダー７に収納保持され用いられるトイレットペーパー６の巻芯６Ａ内に前記支持フック７Ｂ（７Ｂ）を介して前記トイレットペーパー６と一緒に取り付けられ、前記トイレットペーパー６のつまみだし・繰り出し・切断により回転した前記トイレットペーパー６を繰り出し方向とは逆方向に回転させ、前記トイレットペーパー６の次回繰り出し時のつまみ代１２を確実に残すためのトイレットペーパーローラーであって、
前記トイレットペーパーローラー１は、外側筒部２と巻回部３と内側筒部４および前記内側筒部４内周面に接して配置された空転筒部５とからなり、
前記外側筒部２の外周面には前記トイレットペーパー６の巻芯６Ａ内に挿入される前記トイレットペーパーローラー１の回転を抑制するための摩擦部２Ａが設けられ、
前記巻回部３は一端３Ａを前記外側筒部２の内周面に固定させるとともに、前記トイレットペーパー６の繰り出しにともなって他端３Ｂに設けられた内側筒部４の外周面上に収縮可能な渦巻き状に配置され、
前記空転筒部５は前記支持フック７Ｂ（７Ｂ）に固定される支持部５Ａと、
前記支持部５Ａの外側に延設して渦巻き状に設けられる空転部５Ｂとから構成されたことを特徴とするトイレットペーパーローラー。
【発明の詳細な説明】
【発明の詳細な説明】
【技術分野】
【０００１】  本発明は、連続して巻回された巻ペーパー（以下トイレットペーパーと記す）と一緒にワンタッチ支持フックとトイレットペーパーをカットする上面カバーを有するペーパーホルダーに取り付けられて用いられ、ペーパーホルダーから繰り出されたトイレットペーパーの切断後に次回繰り出し時のつまみ代を確実に残すことのできるトイレットペーパーローラーに関するものである。
【背景技術】
【０００２】  従来、トイレットペーパーは心棒あるいはワンタッチ式支持フックによりペーパーホルダーに取り外し可能に収納保持され用いられ、使用時には前記ペーパーホルダーから必要に応じた長さで繰り出したトイレットペーパーを前記ペーパーホルダーと一体で設けられたペーパーカッターにより切断させていた。（特許文献１参照）【０００３】  図３は特許文献１により記載されたトイレットペーパー６が図示しない心棒あるいわワンタッチ式支持フックにより収納保持され用いられる従来のペーパーホルダー７Ａの要部構造及び従来のペーパーホルダー７Ａによるトイレットペーパー６のつまみ出し・繰り出し・切断の一連の動作を示す説明図である。【０００４】  図において、９は連続巻回されたトイレットペーパー６を収納保持してトイレットペーパー６を繰り出すための隙間Ｓを有する円筒状のペーパー保持部、１０はペーパー保持部９に延設されたペーパー上面カバー部、８は回転可能な可動手段１１，１１によりペーパー上面カバー部１０に配設せしめられたペーパーカッターで一端側にペーパー繰り出し阻止部８Ａ、他端側にペーパーカッター部８Ｂを有する構成である。【０００５】  ここで、図３を参照してペーパーホルダー７Ａを使用した時のトイレットペーパー６のつまみ出し、繰り出しと切断は次のようにして行われていた。
（１）トイレットペーパー６の先端部に位置するつまみ代１２を同図（ａ）に示すように指１３でつまみ、次に、（２）同図（ｂ），（ｃ）に示すように必要長さ繰り出す。そして、（３）同図（ｄ）に示すようにペーパー保持部９の先端部に配備されたペーパー上面カバー１０に可動手段１１，１１を介し設置されているペーパーカッター８を可動すべくトイレットペーパー６を上方に持ち上げペーパーを切断する動作を行う。【０００６】
【先行技術文献】
【特許文献】
【０００７】
【特許文献１】特開２００４−０５７７６０号公報
【０００８】
【発明の概要】
【発明が解決しようとする課題】
【０００９】  前述したペーパーホルダー７Ａはトイレットペーパー６のつまみ出し・繰り出し・切断の一連の動作を行った後に次回繰り出し時のつまみ代１２が必然的に形成される構造になっている。しかしながら、使用中何らかの状態でトイレットペーパー６が途中で切れてしまった場合、狭い隙間Ｓにトイレットペーパー６を通しセットし直さなくてはならず不便であった。特に、怪我や障害で手が不自由な者，高齢者にとってこの作業は大きな問題であった。また、従来のペーパーホルダー７Ａに用いられるペーパーカッター８は取り付けが煩雑なほか高価になる難点があった。【００１０】  本発明は、上記課題に鑑みてなされたものであり、これら難点を解消でき、特にワンタッチ式支持フック型トイレットペーパーホルダーに好適で後付けでき、同ホルダーの基本性能を維持しつつ、次回繰り出し時のつまみ代を容易に形成できるトイレットペーパーローラーを提供することにある。このトイレットペーパーローラーを使用すれば、体の不自由な方、高齢者の方でもトイレットペーパーのつまみ代を簡単につかんで、トイレットペーパーの繰り出しを簡単に行うことができるようなる。
【課題を解決するための手段】
【００１１】  以下の発明の態様は、本発明の１実施例の構成を示すものであり、本発明の技術的範囲を限定するものではない。【００１２】  （１）少なくともワンタッチ式の支持フック７Ｂ（７Ｂ）とペーパーカッター８を有するペーパーホルダー７に収納保持され用いられるトイレットペーパー６の巻芯６Ａ内に前記支持フック７Ｂ（７Ｂ）を介して前記トイレットペーパー６と一緒に取り付けられ、前記トイレットペーパー６のつまみだし・繰り出し・切断により回転した前記トイレットペーパー６を繰り出し方向とは逆方向に回転させ、前記トイレットペーパー６の次回繰り出し時のつまみ代１２を確実に残すためのトイレットペーパーローラーであって、前記トイレットペーパーローラー１は、外側筒部２と巻回部３と内側筒部４および前記内側筒部４内周面に接して配置された空転筒部５とからなり、前記外側筒部２の外周面には前記トイレットペーパー６の巻芯６Ａ内に挿入される前記トイレットペーパーローラー１の回転を抑制するための摩擦部２Ａが設けられ、前記巻回部３は一端３Ａを前記外側筒部２の内周面に固定させるとともに、前記トイレットペーパー６の繰り出しにともなって他端３Ｂに設けられた前記内側筒部４の外周面上に収縮可能な渦巻き状に配置され、前記空転筒部５は前記支持フック７Ｂ（７Ｂ）に固定される支持部５Ａと、前記支持部５Ａの外側に延設して渦巻き状に設けられる空転部５Ｂとから構成されている。【００１３】  本項に記載のトイレットペーパーローラー１は、前記外側筒部２と前記トイレットペーパー６の繰り出しにともなって他端３Ｂに設けられた前記内側筒部４の外周面上に収縮可能な渦巻き状に配置され前記巻回部３および前記内側筒部４内周面に接して配置された前記空転筒部５とを具備している。従って、前記トイレットペーパー６を繰り出すと前記トイレットペーパーローラー１も前記摩擦部２Ａの作用で一緒に回転し、前記巻回部３は前記内側筒部４の外周面上に収縮する。この時、前記空転筒部５は前記ペーパーホルダー７の前記支持フック７Ｂ（７Ｂ）で固定されているので、前記内側筒部４は前記空転筒部５の外周を回転可能なので必要な長さの前記トイレットペーパー６を繰り出すことができる。ここで前記トイレットペーパー６を切断すると収縮した渦巻き状の前記巻回部３はその弾性力により元の状態に戻ろうとし、前記トイレットペーパーローラー１は前記トイレットペーパー６を一緒に逆方向に回転させて前の状態に戻すように作用する。したがって、切断後に必要な、次回繰り出し時のつまみ代１２部分を確実に残すことが可能になる。なお、前記つまみ代１２の長さは前記巻回部３の長さを変えることで調整することが可能である。【００１４】
【発明の効果】
【００１５】    本発明によれば、安価で簡単な手段により、連続して巻回されたトイレットペーパー６のつまみ出し・繰り出し・切断の一連の動作後に、次回繰り出し時に必要とするつまみ代１２を確実に残すことができるという効果が得られる。また、トイレットペーパー６の次回繰り出し時のつまみ代が確実に形成されるため、怪我や障害で手が不自由な者でも容易につまみ代をつかむことができるという効果が得られる。また、渦巻き状に配置され巻回部３によりトイレットペーパー６に繰り出し方向とは逆方向に張力が働くため、余分なトイレットペーパー６の使用量を抑えることが可能になる。
【図面の簡単な説明】
【００１６】
【図１】  本発明による１実施例のトイレットペーパーローラー１の構成を示す説明図で、同図（ａ）はトイレットペーパーローラー１の構成を示す斜視図、同図（ｂ）は外側筒部２と巻回部３および内側筒部４の構成を示す概略図、同図（ｃ）は空転筒部５の構成を示す概略図である。
【図２】  本発明によるトイレットペーパーローラー１をトイレットペーパー６に用いる説明図で、同図（ａ）はワンタッチ式支持フック７Ｂ（７Ｂ）を備えたペーパーホルダー７の構成を示す斜視図、同図（ｂ）はペーパーホルダー７にトイレットペーパー６を収納保持した状態を示す部分断面斜視図である。
【図３】  従来例のペーパーホルダー７Ａによるトイレットペーパー６のつまみ出し・繰り出し・切断を示す説明図である。
【発明を実施するための形態】
【００１７】  以下、図面を参照して本発明の実施形態について説明する。
図１は、本発明による１実施例のトイレットペーパーローラー１の構成を示す説明図で、同図（ａ）はトイレットペーパーローラー１の構成を示す斜視図、同図（ｂ）は外側筒部２と巻回部３および内側筒部４の構成を示す概略図、同図（ｃ）は空転筒部５の構成を示す概略図である。
【００１８】  本発明の実施形態におけるトイレットペーパーローラー１は外側筒部２と巻回部３と内側筒部４および内側筒部４内周面に接して配置された空転筒部５を具備し、トイレットペーパー６の巻芯６Ａ内に挿入固定されて用いられる。前記巻回部３の一端３Ａは前記外側筒部２内周面に固定されるとともに前記トイレットペーパー６の繰り出しにともなって他端３Ｂに設けられた前記内側筒部４の外周面上に収縮可能な渦巻き状に配置されている。また、前記支持フック７Ｂ（７Ｂ）に固定される前記支持部５Ａ（５Ａ）と、前記支持部５Ａ（５Ａ）の外側に延設して渦巻き状に設けられる前記空転部５Ｂとから構成された前記空転筒部５は前記内側筒部４内周面に接して配置さている。
【００１９】  前記外側筒部２と前記巻回部３および前記内側筒部４のほか前記空転筒部５を一枚の樹脂フィルム（例えば、ＰＥＴ、ＰＰ、ＡＢＳ等）、ゴム系、エラストマー、鋼板等で巻芯６Ａに応じた形状と寸法に形成されている。また、前記摩擦部２Ａはゴム系、樹脂系スポンジ等で構成され、前記外側筒部２外周面の６箇所に接着固定されている。なお、前記摩擦部２Ａの数は必要に応じて増減しても良く、前記外側筒部２外周面全面に設けてもよいことは言うまでもない。
【００２０】  前記巻回部３は一端３Ａを前記外側筒部２の内周面に接着剤や熱圧着あるいはカシメにより固定させるとともに、他端３Ｂに設けられた内側筒部４の外周面上に収縮可能な渦巻き状に配置されるよう前記外側筒部２内に収納されている。また、前記内側筒部４内周面に接して配置された空転筒部５は前記トイレットペーパーローラー１を前記支持フック７Ｂ（７Ｂ）に取り外し自由に取り付けるための取り付け部５Ａ（５Ａ）によりペーパーホルダー７に固定されている。この時、前記トイレットペーパー６は図２（ｂ）に図示されるようにつまみ代１２を有し、前記巻回部３の収縮が緩んで逆方向に回転しない初期状態で前記ペーパーホルダー７に収納保持されている。
【００２１】  ここで、一方の手で前記つまみ代１２をつまみ、前記トイレットペーパー６を必要長さ繰り出すと前記渦巻き状の前記巻回部３が前記外側筒部２の回転にともない収縮する。ここでトイレットペーパー６を切断すると前記収縮した渦巻き状の前記巻回部３が弾性力により初期状態に戻ろうとする結果、前記トイレットペーパーローラー１は前記トイレットペーパー６を一緒に繰り出し方向と逆方向に回転させる。これにより、前記トイレットペーパー６は前記つまみ代１２を有した初期状態に戻るようになる。
【００２２】  前記巻回部３は弾性力のある合成樹脂シート（例えばＰＥＴ、ＰＰ，ＡＢＳ等）ゴム系エラストマー、鋼板等で前記巻芯６Ａに応じた形状と寸法に成形されるが、前記外側筒部２と前記内側筒部４と一体で構成することも容易である。また、前記内側筒部４内周面に接して配置される前記支持フック７Ｂ（７Ｂ）に応じた形状と寸法に形成された前記支持部５Ａ（５Ａ）と空転部５Ｂからなる前記空転筒部５も同様にして合成樹脂シートで一体に構成することが容易である。
【００２３】  上述したトイレットペーパーローラー１は構成が簡単なほか安価であり、トイレットペーパー６の前記巻芯６Ａ内への取り付けも簡単である。また、既に市販されているワンタッチ式支持フック７Ｂ（７Ｂ）付きのペーパーホルダー７に対する前記トイレットペーパーローラー１を取り付けたトイレットペーパー６の取り付けも簡単である。
【００２４】  本発明による構成のトイレットペーパーローラー１を用いてトイレットペーパー６のつまみ出し・繰り出し・切断の一連の動作を行うと、巻回部３がトイレットペーパー６の回転にともなって収縮し元の状態に戻ろうとする。この結果、トイレットペーパー６はトイレットペーパーローラー１とともに逆方向に回転し、次回繰り出し時に必要な長さのつまみ代１２を残した初期状態に戻ることができる。また、渦巻き状に配置され巻回部３により逆回転方向に張力が働くためトイレットペーパーの使用量の抑制も可能となる。
【００２５】  以上、本発明を好ましい実施状態に基づいて説明したが、本発明は上述した実施形態に限定されるものではない。
【符号の説明】
【００２６】１  トイレットペーパーローラー
２  外側筒部
２Ａ  摩擦部
３  巻回部
３Ａ  一端
３Ｂ  他端
４  内側筒部
５  空転筒部
５Ａ  取付け部
５Ｂ  空転部
６  トイレットペーパー
６Ａ  巻芯
７，７Ａ  ペーパーホルダー
７Ｂ（７Ｂ）  支持フック
８  上面カバー（ペーパーカッター）
８Ａ  ペーパー繰り出し阻止部
８Ｂ  ペーパーカッター部
９  ペーパー保持部
１０  ペーパーカバー部
１１  可動部
１２  つまみ代
１３  指
Ｓ    隙間
【図１】
2014200652.tif 000003
【図２】
2014200652.tif 000004
【図３】
2014200652.tif 000005